(57)【要約】【課題】表示パネルの接続及び組み付け作業性を向上させることが可能な表示装置を提供する。【解決手段】表示パネル５１を保持する保持部材５３をフレーム部材３に組み付け固定することにより表示パネル５１のリード端子５１１が回路基板２のコネクタ（挿入接続部）２４に挿入接続される表示装置において、保持部材５３とフレーム部材３の各々に、保持部材５３をフレーム部材３に組み付け固定する際、保持部材５３をフレーム部材３に案内するガイド手段Ｇと、このガイド手段Ｇを基準として保持部材５３をフレーム部材３に位置決めすると共にコネクタ２４をリード端子５１１に位置決めする位置決め手段Ｐとを設けた。【選択図】図１０
2008242219.tif 000002
【特許請求の範囲】
【請求項１】
挿入接続部を有する回路基板と、
前記挿入接続部に挿入接続される複数の接続部材を有し当該接続部材を通じた信号入力に基づいて所定情報を表示する表示パネルと、
前記接続部材の少なくとも前記挿入接続部側を露出した状態で前記表示パネルを保持する第１のケース体と、
この第１のケース体を取り付け固定する第２のケース体とを備え、
前記第１のケース体を前記第２のケース体に組み付け固定することにより前記接続部材が前記挿入接続部に挿入接続される表示装置において、
前記第１のケース体と前記第２のケース体の各々に、前記第１のケース体を前記第２のケース体に組み付け固定する際、前記第１のケース体を前記第２のケース体に案内するガイド手段と、このガイド手段を基準として前記第１のケース体を前記第２のケース体に位置決めすると共に前記接続部材を前記挿入接続部に位置決めする位置決め手段とを設けたことを特徴とする表示装置。
【請求項２】
前記位置決め手段が前記第１のケース体及び前記接続部材を最初に位置決めする第１の位置決め手段と、前記第１のケース体及び前記接続部材を前記第１の位置決め手段の次に位置決めする第２の位置決め手段とを有することを特徴とする請求項１記載の表示装置。
【請求項３】
前記第１の位置決め手段による前記第１のケース体及び前記接続部材の位置決め時には前記第２の位置決めによる前記第１のケース体及び前記接続部材の位置決めが行われず、前記第２の位置決め手段による前記第１のケース体及び前記接続部材の位置決め時には前記第１の位置決め手段による前記第１のケース体及び前記接続部材の位置決めが行われないことを特徴とする請求項２記載の表示装置。
【請求項４】
前記ガイド手段が前記接続部材の挿入接続方向に沿って前記第１のケース体または前記第２のケース体の一方に設けられた単一かつ柱状の第１のガイド部と、この第１のガイド部に沿って前記第１のケース体または前記第２のケース体の他方に設けられ前記第１のガイド部を挿入案内する単一かつ筒状の第２のガイド部とからなることを特徴とする請求項１記載の表示装置。
【請求項５】
前記第１，第２のガイド部が、前記位置決め手段による位置決めが行われる前に前記第１のケース体の前記ガイド手段を基準とした回転方向への移動を規制可能な形状もしくは前記第１のケース体の前記ガイド手段を基準とした回転方向への移動を規制する規制手段を有することを特徴とする請求項１記載の表示装置。
【請求項６】
前記位置決め手段が前記第１のケース体を、前記ガイド手段を基準とした回転方向に位置決めすることを特徴とする請求項１記載の表示装置。
【請求項７】
前記位置決め手段が前記ガイド手段の周囲に位置して第１，第２のケースのうちの一方に形成される当接部または嵌合部と第１，第２のケースのうちの他方に形成される被当接部または被嵌合部からなることを特徴とする請求項６記載の表示装置。
【発明の詳細な説明】
【技術分野】
【０００１】
本発明は、液晶表示パネル等のフラットディスプレイからなる表示パネルを通じて各種情報表示を行う表示装置に関する。
【背景技術】
【０００２】
この種の表示装置として、例えば下記特許文献１に記載されているものが知られている。この表示装置は、コネクタ（挿入接続部）を有する回路基板と、コネクタに挿入接続されるカードエッジ型コネクタ（回路基板に導通パターンを形成したもの）からなる端子部（接続部材）を有し当該端子部を通じた信号入力に基づいて所定情報を表示する液晶表示パネル（液晶セル）からなる表示パネルと、端子部の少なくともコネクタ側を露出した状態で表示パネルを保持するセルケース（第１のケース体）と、このセルケースを取り付け固定するメインケース（第２のケース体）とを備えており、表示パネルを保持したセルケースをメインケースに組み付け固定すると同時に端子部がコネクタに挿入接続されるようになっている。
またこの種の表示装置の中には、例えば下記特許文献２に記載されているように、表示パネルの端子部を複数本のリード端子（接続部材）から形成し、これらリード端子の各々を回路基板上に設けられたコネクタ（挿入接続部）の複数の挿入接触部に挿入して電気接続するものもある。
【特許文献１】特開平０８−１２９１６５号公報（図１）
【特許文献２】特開平０９−０６１８００号公報（図８）
【発明の開示】
【発明が解決しようとする課題】
【０００３】
しかしながら、前記特許文献１記載の表示装置は、端子部を回路基板に電気接続するに際して専用の接続作業を行う必要がない点でメリットを有しているが、セルケースのメインケースへの組み付けや端子部のコネクタへの挿入接続に関して特別工夫がなされていないために、セルケースを組み付けづらく、しかも組み付けに際して端子部とコネクタとの相互位置がずれてしまうことがある等、組み付け作業性の点で改良が望まれていた。
また特に特許文献２記載の表示装置にように、複数本のリード端子をコネクタの各挿入接触部に挿入するタイプにあっては、端子部とコネクタとの位置合わせが難しく、正しく位置合わせするには作業者に熟練を要するといった不都合がある。
【０００４】
本発明は、この点に鑑みてなされたもので、その主な目的は、表示パネルの接続及び組み付け作業性を向上させることが可能な表示装置を提供するものである。
【課題を解決するための手段】
【０００５】
本発明は、前記目的を達成するため、挿入接続部を有する回路基板と、前記挿入接続部に挿入接続される複数の接続部材を有し当該接続部材を通じた信号入力に基づいて所定情報を表示する表示パネルと、前記接続部材の少なくとも前記挿入接続部側を露出した状態で前記表示パネルを保持する第１のケース体と、この第１のケース体を取り付け固定する第２のケース体とを備え、前記第１のケース体を前記第２のケース体に組み付け固定することにより前記接続部材が前記挿入接続部に挿入接続される表示装置において、前記第１のケース体と前記第２のケース体の各々に、前記第１のケース体を前記第２のケース体に組み付け固定する際、前記第１のケース体を前記第２のケース体に案内するガイド手段と、このガイド手段を基準として前記第１のケース体を前記第２のケース体に位置決めすると共に前記接続部材を前記挿入接続部に位置決めする位置決め手段とを設けたことを特徴とする。
【０００６】
また本発明は、前記位置決め手段が前記第１のケース体及び前記接続部材を最初に位置決めする第１の位置決め手段と、前記第１のケース体及び前記接続部材を前記第１の位置決め手段の次に位置決めする第２の位置決め手段とを有することを特徴とする。
【０００７】
また本発明は、前記第１の位置決め手段による前記第１のケース体及び前記接続部材の位置決め時には前記第２の位置決めによる前記第１のケース体及び前記接続部材の位置決めが行われず、前記第２の位置決め手段による前記第１のケース体及び前記接続部材の位置決め時には前記第１の位置決め手段による前記第１のケース体及び前記接続部材の位置決めが行われないことを特徴とする。
【０００８】
また本発明は、前記ガイド手段が前記接続部材の挿入接続方向に沿って前記第１のケース体または前記第２のケース体の一方に設けられた単一かつ柱状の第１のガイド部と、この第１のガイド部に沿って前記第１のケース体または前記第２のケース体の他方に設けられ前記第１のガイド部を挿入案内する単一かつ筒状の第２のガイド部とからなることを特徴とする。
【０００９】
また本発明は、前記第１，第２のガイド部が、前記位置決め手段による位置決めが行われる前に前記第１のケース体の前記ガイド手段を基準とした回転方向への移動を規制可能な形状もしくは前記第１のケース体の前記ガイド手段を基準とした回転方向への移動を規制する規制手段を有することを特徴とする。
【００１０】
また本発明は、前記位置決め手段が前記第１のケース体を、前記ガイド手段を基準とした回転方向に位置決めすることを特徴とする。
【００１１】
また本発明は、前記位置決め手段が前記ガイド手段の周囲に位置して第１，第２のケースのうちの一方に形成される当接部または嵌合部と第１，第２のケースのうちの他方に形成される被当接部または被嵌合部からなることを特徴とする。
【発明の効果】
【００１２】
本発明によれば、初期の目的を達成でき、表示パネルの接続及び組み付け作業性を向上させることが可能な表示装置を提供することができる。
【発明を実施するための最良の形態】
【００１３】
図１から図１３は、本発明の一実施形態として、本発明による表示装置を例えば自動車用の計器装置に適用した場合を示すもので、図１は計器装置の正面図、図２は図１のＡ−Ａ断面図、図３は保持部材及びフレーム部材の要部分解斜視図、図４はフレーム部材の要部正面図、図５は保持部材の正面図、図６は保持部材の背面図、図７は保持部材を図３中、矢印Ｙ方向から見たときの正面図、図８は図５のＢ−Ｂ断面図、図９は図５のＣ−Ｃ断面図、図１０〜図１３は保持部材のフレーム部材への組み付けを説明するもので、図１０は保持部材の被案内部の先端をフレーム部材の案内部の入り口部分に挿入した際の分解断面図、図１１は第１の位置決め手段による位置決め状態を示す分解断面図、図１２は第２の位置決め手段による位置決め状態を示す分解断面図、図１３は組み付け完了後の断面図である。なお図３、図５、図６では後述する被覆部材及び表示パネルを取り外した状態を示している。
【００１４】
図１及び図２において、計器装置は、裏カバー１と、回路基板２と、フレーム部材（第２のケース体）３と、回路基板２上に配置される指針式表示部４と、同じく回路基板２上に配置される表示ユニット５と、これら指針式計器４と表示ユニット５の所要部を覆う化粧フレーム６と、この化粧フレーム６上に設けられ指針式計器４と表示ユニット５とを透視可能に覆う透視カバー７とを備えている。
【００１５】
裏カバー１は、合成樹脂からなり、回路基板２の裏側を覆っている。
【００１６】
回路基板２は、図示しない回路パターンを有する硬質の回路基板からなり、裏カバー１によって覆われる側とは反対側に指針式計器４と表示ユニット５のそれぞれを照明する光源２１，２２，２３と、コネクタ（挿入接続部）２４とが実装されている。
【００１７】
光源２１〜２３は何れも例えば発光ダイオードからなり、コネクタ２４は合成樹脂からなるハウジング内に複数の挿入接続端子（図示しない）を有している。
なお本実施形態では挿入接続部としてコネクタ２４を適用したが、後述する表示パネル５１のリード端子（接続部材）を挿入接続するものであれば、任意の部品、構造を適用でき、例えば回路基板２にリード端子（接続部材）が挿入されハンダ付け接続される孔部を設け、この孔部を挿入接続部としてもよい。
【００１８】
フレーム部材３は例えば乳白色等の合成樹脂材料からなり、計器装置全体のメインフレーム兼反射体として機能するものであるが、その詳細は後述する。
【００１９】
指針式計器４は、本体部が回路基板２の裏側に配置されると共にその指針軸が回路基板２の表側に突出するステッピングモータ４１と、このステッピングモータ４１の前記指針軸に連結され計測量に応じて軸回り回転する指針４２と、この指針４２の指示対象となる指標部４３を備えた表示板４４とで構成され、指針４２は光源２１により、表示板４４は光源２２により、それぞれ照明される。
【００２０】
表示ユニット５は、表示パネル５１と、この表示パネルの背後に光を導く導光板５２と、この導光板５２と表示パネル５１とを収容し、保持する保持部材（第１のケース体）５３と、この保持部材５３に装着され表示パネル５１の所要部を露出する被覆部材５４とで構成されている。
【００２１】
表示パネル５１は、例えば液晶表示パネルからなり、その一辺に配列された複数の電極に駆動電力を供給するための複数のリード端子（接続部材）５１１が一列に接続固定され、これらリード端子５１１は、表示パネル５１とは方向が９０度異なる回路基板２方向に延長し、その各端部がコネクタ２４に挿入され、前記挿入接続端子と接続されている。
【００２２】
導光板５２は、表示パネル５１に沿って延びる部分と、この部分から回路基板２側に屈曲して延びその端部が光源２３に対向する部分とを有し、光源２３の光を表示パネル５１に導いて照明する。
【００２３】
保持部材５３は、例えば乳白色の合成樹脂材料からなり、フレーム部材３に装着されるが、その詳細構造は後述する。
【００２４】
化粧フレーム６は、例えば黒色の合成樹脂材料によって、透視カバー７は透光性を有する合成樹脂材料によってそれぞれ形成されている。
【００２５】
そして表示ユニット５は、指針４２の先端側を露出するように指針式計器４の前方に配置され、表示パネル５１によって、走行距離や外気温等の情報を表示する。
【００２６】
次に保持部材５３とフレーム部材３の詳細構造を説明する。
【００２７】
まず保持部材５３は、図３，図５〜図９に示すように、各リード端子５１１を挿入することでこれらを一列に整列させる端子支持部５３１と、導光板５２の光源２３側部分を収容するように回路基板２側に向かって延びる光導入部５３２と、この光導入部５３２とは所定間隔を隔てて回路基板２側に向かって（後述するガイド部に沿って）延びる柱形状の被ガイド部（第１のガイド部）５３３と、この被ガイド部５３３と同一方向に延びる光導入部５３２の外壁部を利用して形成される当接部５３４と、被ガイド部５３３と同一方向に延びる突出部を利用して形成される挿入突起５３５と、この挿入突起５３５と同一方向に延びる他の突出部を利用して形成される弾性爪形状の係合部５３６と、この係合部５３６の周囲に位置して前記各突出部と同一方向に延びる更に他の突出部を利用して形成される受部５３７とを有している。
【００２８】
被ガイド部５３３は、フレーム部材３の後述するガイド部（第２のガイド部）と組み合わされることにより、保持部材５３をフレーム部材３に組み付け固定する際、保持部材５３をフレーム部材３に案内するガイド手段Ｇを構成するもので、表示ユニット５を観察者が通常の読み取り方向から見たとき、図３，図６に示すように正面視形状が線対称となる表示ユニット５（表示パネル５１）の線対称軸線ＡＸ１上に位置し、被ガイド部５３３の延長中心を通る延長軸線ＡＸ２は線対称軸線ＡＸ１とは鉛直に交わる方向に延びている。
【００２９】
また被ガイド部５３３には、延長軸線ＡＸ２を中心として等間隔（等角度）に複数（本例では４つ）の回転規制リブ５３８が形成され、この回転規制リブ５３８は、フレーム部材３の後述する回転規制溝と組み合わされることにより、保持部材５３のガイド手段Ｇを基準とした回転方向への移動を規制する規制手段Ｒ（図１０参照）を構成する。
【００３０】
更に被ガイド部５３３の内部は、中空に形成され、この中空部分に後述するねじが螺合するようになっている。
【００３１】
当接部５３４は、フレーム部材３の後述する被当接部と組み合わされることにより、ガイド手段Ｇを基準として保持部材５３をフレーム部材３に最初に位置決めすると共にリード端子５１１をコネクタ２４に最初に位置決めする第１の位置決め手段Ｐ１（位置決め手段Ｐ）を構成する（図１１参照）。
【００３２】
挿入突起５３５は、フレーム部材３の後述する被挿入部と組み合わされることにより、ガイド手段Ｇを基準として保持部材５３をフレーム部材３に第１の位置決め手段Ｐ１の次に位置決めすると共にリード端子５１１をコネクタ２４に第１の位置決め手段Ｐ１の次に位置決めする第２の位置決め手段Ｐ２（位置決め手段Ｐ）を構成する（図１２参照）。
【００３３】
係合部５３６は、挿入突起５３５と同一方向に延びる他の突出部を利用して形成され、フレーム部材３の後述する被係合部に係合して保持部材５３をフレーム部材３に取り付け固定するものである。
【００３４】
受部５３７は、係合部５３６の周囲に位置して前記各突出部と同一方向に延びる更に他の突出部を利用して形成され、係合部５３６を通じて保持部材５３をフレーム部材３に取り付け固定した際にフレーム部材３の後述する取付部の壁面に当接すると共に係合部５３６の爪との間にフレーム部材３の前記取付部を位置させて係合部５３６を通じて保持部材５３の取り付け固定を可能にするものである。
【００３５】
そして当接部５３４、挿入突起５３５、係合部５３６、受部５３７のそれぞれは、線対称軸線ＡＸ１を挟んで対向するように一対ずつ形成され、互いに対をなす各当接部５３４、各挿入突起５３５、各係合部５３６、各受部５３７は被ガイド部５３３（延長軸線ＡＸ２）からの距離が等しくなるように、被ガイド部５３３の周囲に分散配置されている（図６参照）。
【００３６】
フレーム部材３は、図３，図４に示すように光源２２の光を反射する反射部３１と、コネクタ２４を含む回路基板２の所定領域を露出する開口部３２と、この開口部３２と反射部との間に形成された断面屈曲形状の取付部３３と、この取付部３３内であって被ガイド部５３３の対応位置に形成されるガイド部（第２のガイド部）３４と、同じく取付部３３内であって当接部５３４の対応位置に形成される被当接部３５と、同じく取付部３３内であって挿入突起５３５の対応位置に形成される被挿入部３６と、同じく取付部３３内であって係合部５３６の対応位置に形成される被係合部３７とを有している。なお被当接部３５と受部５３７は、当接部５３４に対応してそれぞれ２箇所、被挿入部３６と被係合部３７は、挿入突起５３５と係合部５３６に対応してそれぞれ一対形成され、このように２箇所または一対形成される被当接部３５、受部５３７、被挿入部３６、被係合部３７のガイド部３４（延長軸線ＡＸ２）からの位置は同じに設定されている。
【００３７】
ガイド部３４は、被ガイド部５３３に沿って延長軸線ＡＸ２に沿って延びると共に被ガイド部５３３を挿入可能な筒状部からなり、前述のように被ガイド部５３３と組み合わされることにより、保持部材５３をフレーム部材３に組み付け固定する際、保持部材５３をその組み付け方向である延長軸線ＡＸ２に沿ってフレーム部材３に案内するガイド手段Ｇを構成する。またこのガイド部３４には、回転規制リブ５３８に対応する回転規制溝３４１が形成され、回転規制溝３４１と組み合わされることにより、前述のように保持部材５３のガイド手段Ｇを基準とした回転方向への移動を規制する規制手段Ｒを構成する。この際、回転規制溝３４１の幅は回転規制リブ５３８の幅よりも若干大きく形成され、これにより、図１０に示すように、被ガイド部５３３をガイド部３４に挿入しただけの状態では、保持部材５３が延長軸線ＡＸ２を基準としてわずかに回転可能であり、この意味でガイド手段Ｇ及び規制手段Ｒは、保持部材５３のフレーム部材３に対する大方の位置を定めるものである。
【００３８】
被当接部３５は、前記のように当接部５３４と組み合わされて第１の位置決め手段Ｐ１（位置決め手段Ｐ）を構成するものであるが、図１０に示す状態から被ガイド部５３３をガイド部３４に沿わせて更に挿入案内していくと、図１１に示すように、まず最初に当接部５３４が当接することで、ガイド手段Ｇを基準として保持部材５３をフレーム部材３に最初に位置決めすると共にリード端子５１１をコネクタ２４に最初に位置決めする。なおこの第１の位置決め手段Ｐ１は、第２の位置決め手段Ｐ２による位置決めが行われるまで位置決めを行う。
【００３９】
被挿入部３６は、前記のように挿入突起５３５と組み合わされることにより、第２の位置決め手段Ｐ２（位置決め手段Ｐ）を構成するものであるが、図１１に示す状態（第１の位置決め手段Ｐ１による位置決め状態）から被ガイド部５３３をガイド部３４に沿わせて更に挿入案内していくと、図１２に示すように、挿入突起５３５が被挿入部３６に挿入され、これによりガイド手段Ｇを基準として、保持部材５３をフレーム部材３に第１の位置決め手段Ｐ１の次に位置決めすると共にリード端子５１１をコネクタ２４に第１の位置決め手段Ｐ１の次に位置決めした状態でリード端子５１１がコネクタ２４に挿入される。なお第２の位置決め手段Ｐ２は保持部材５３の取付固定とリード端子５１１の接続が完了するまで及び完了後の位置決めを行う。
【００４０】
なおこの第２の位置決め手段Ｐ２による位置決め状態において、第１の位置決め部Ｐ１による位置決めが行われないよう、当接部５３４は表示パネル５１に向かって徐々に被当接部３５から離れるように傾斜して設けられると共に、被当接部３５の回路基板２側には当接部５３４を逃げる孔状の逃げ部３８が形成されており、第２の位置決め手段Ｐ２による位置決め状態では当接部５３４と被当接部３５との間には空間が形成されるようになっている。なお逃げ部３８は当接部５３４を逃げる傾斜面であってもよい。
【００４１】
図１２に示す状態から被ガイド部５３３をガイド部３４に沿わせて更に挿入案内していくと、図１３に示すように、係合部５３６が被係合部３７に貫通して被係合部３７の周囲裏面に係合部５３６の爪が係合し、受部５３７が取付部３３の壁面に当接すると共に受部５３７と係合部５３６の爪との間に取付部３３が挟まり、これにより保持部材５３がフレーム部材３に（仮）取付固定されると共にリード端子５１１がコネクタ２４の所定の挿入量分挿入され、リード端子５１１のコネクタ２４への挿入接続が完了する。
【００４２】
なお保持部材５３の本固定は、図２に示すように、ねじ８を通じて被ガイド部５３３を裏カバー１と回路基板２とフレーム部材３の３部品に螺着固定することにより行われる。
【００４３】
以上のように本実施形態では、コネクタ（挿入接続部）２４を有する回路基板２と、コネクタに挿入接続される複数のリード端子（接続部材）５１１を有し当該リード端子（接続部材）５１１を通じた信号入力に基づいて所定情報を表示する表示パネル５１と、リード端子５１１の少なくともコネクタ２４側を露出した状態で表示パネル５１を保持する保持部材（第１のケース体）５３と、この保持部材５３を取り付け固定するフレーム部材（第２のケース体）３とを備え、保持部材５３をフレーム部材３に組み付け固定することによりリード端子５１１がコネクタ２４に挿入接続される表示装置において、保持部材５３とフレーム部材３の各々に、保持部材５３をフレーム部材３に組み付け固定する際、保持部材５３をフレーム部材３に案内するガイド手段Ｇと、このガイド手段Ｇを基準として保持部材５３をフレーム部材３に位置決めすると共にコネクタ２４をリード端子５１１に位置決めする位置決め手段Ｐとを設けたことにより、ガイド手段Ｇによる案内のもと保持部材５３をフレーム部材３に組み付けることができると共に位置決め手段Ｐによって保持部材５３のフレーム部材３に対する位置決めとリード端子５１１のコネクタ２４に対する位置決めとを行うことができ、この結果、表示パネルの接続及び組み付け作業性を向上させることができる。
【００４４】
また本実施形態では、位置決め手段Ｐが保持部材５３及びコネクタ２４を最初に位置決めする第１の位置決め手段Ｐ１と、保持部材５３及びコネクタ２４を第１の位置決め手段Ｐの次に位置決めする第２の位置決め手段Ｐ２とで構成したことにより、位置決め手段Ｐを分割できるため、位置決め手段Ｐが延長軸線ＡＸ２に沿って長くなり過ぎることを防止し、位置決め手段Ｐの長大化に伴って強度が低下し、その分、位置決め精度が落ちることを防止できる。なお位置決め手段Ｐの数は２つ以上であってもよい。
【００４５】
また本実施形態では、第１の位置決め手段Ｐ１による保持部材５３及びリード端子５１１の位置決め時には、第２の位置決めによるＰ２による保持部材５３及びリード端子５１１の位置決めが行われず、第２の位置決め手段Ｐ２による保持部材５３及びリード端子５１１の位置決め時には、第１の位置決め手段Ｐ１による前記保持部材５３及びリード端子５１１の位置決めが行われないことにより、第１，第２の位置決め手段Ｐ１，Ｐ２の同時位置決め（同時接触）による組み付けにくさを解消でき、組み付け性を向上させることができる。
【００４６】
また本実施形態では、ガイド手段Ｇがリード端子５１１の挿入接続方向に沿って保持部材５３に設けられた単一かつ柱状の被ガイド部５３３と、この被ガイド部５３３に沿ってフレーム部材３に設けられ被ガイド部５３３を挿入案内する単一かつ筒状のガイド部３４とからなることにより、ガイド手段Ｇを単一とし、この単一のガイド手段Ｇによる案内のもと組み付けを行うすることができるため、組み付け性を向上させることができる。なおガイド手段Ｇはフレーム部材３に被ガイド部を設け、保持部材５３にガイド部３４を設けることで構成することもできる。
【００４７】
また本実施形態では、被ガイド部５３３とガイド部３４が、位置決め手段Ｐによる位置決めが行われる前に保持部材５３のガイド手段Ｇを基準とした回転方向への移動を規制する規制手段Ｒを有することにより、延長軸線ＡＸ２を基準とした保持部材５３の回転方向の位置決めを行うことができるため、組み付け性を向上させることができる。なお規制手段Ｒは、これにより回転方向の位置決めを行う際、若干の余裕しろ（可動しろ）を持たせるようにし、正確な位置決めは、位置決め手段Ｐで行うのが望ましい。
【００４８】
また規制手段Ｒは、被ガイド部５３３とガイド部３４を断面三角、四角、Ｄ字形状等、回転不可能な形状に設定することで保持部材５３のガイド手段Ｇを基準とした回転方向への移動を規制するものであってもよい。
【００４９】
また本実施形態では、位置決め手段Ｐが保持部材５３を、ガイド手段Ｇを基準として回転方向に位置決めすることにより、位置決め精度を向上させることができる。
【００５０】
また本実施形態では、位置決め手段Ｐがガイド手段Ｇの周囲に位置して保持部材５３に形成される当接部５３４とフレーム部材３に形成される被当接部３５からなることにより、位置決め精度を向上させることができる。
【００５１】
なお位置決め手段Ｐは、ガイド手段Ｇを基準として保持部材５３をフレーム部材３に位置決めすると共にコネクタ２４をリード端子５１１に位置決めすることができれば、その構成は任意であり、第２の位置決め手段Ｐ２のように、保持部材５３に設けられた挿入突起５３５のごとき嵌合部と、フレーム部材３に設けられた被挿入部３６のごとき被嵌合部であってもよい。
【図面の簡単な説明】
【００５２】
【図１】本発明の第１の実施形態による計器装置の正面図。
【図２】図１のＡ−Ａ断面図。
【図３】同実施形態における保持部材及びフレーム部材の要部分解斜視図。
【図４】同実施形態におけるフレーム部材の要部正面図。
【図５】同実施形態における保持部材の正面図。
【図６】同実施形態における保持部材の背面図。
【図７】同実施形態における保持部材を図３中、矢印Ｙ方向から見たときの正面図。
【図８】図５のＢ−Ｂ断面図。
【図９】図５のＣ−Ｃ断面図。
【図１０】同実施形態における保持部材のフレーム部材への組み付けを説明するもので、保持部材の被案内部の先端をフレーム部材の案内部の入り口部分に挿入した際の分解断面図。
【図１１】同実施形態における保持部材のフレーム部材への組み付けを説明するもので、第１の位置決め手段による位置決め状態を示す分解断面図。
【図１２】同実施形態における保持部材のフレーム部材への組み付けを説明するもので、第２の位置決め手段による位置決め状態を示す分解断面図。
【図１３】同実施形態における保持部材のフレーム部材への組み付けを説明するもので、組み付け完了後の断面図。
【符号の説明】
【００５３】
１  裏カバー
２  回路基板
３  フレーム部材（第２のケース体）
４  指針式表示部
５  表示ユニット
６  化粧フレーム
７  透視カバー
８  ねじ
２１，２２，２３  光源
２４  コネクタ（挿入接続部）
３１  反射部
３２  開口部
３３  取付部
３４  ガイド部（第２のガイド部）
３５  被当接部
３６  被挿入部
３７  被係合部
３８  逃げ部
４１  ステッピングモータ
４２  指針
４３  指標部
４４  表示板
５１  表示パネル
５２  導光板
５３  保持部材（第１のケース体）
５４  被覆部材
３４１  回転規制溝
５１１  リード端子（接続部材）
５３１  端子支持部
５３２  光導入部
５３３  被ガイド部（第１のガイド部）
５３４  当接部
５３５  挿入突起
５３６  係合部
５３７  受部
５３８  回転規制リブ
Ｇ  ガイド手段
ＡＸ１  線対称軸線
ＡＸ２  延長軸線
Ｐ  位置決め手段
Ｐ１  第１の位置決め手段
Ｐ２  第２の位置決め手段
Ｒ  規制手段
【図１】
2008242219.tif 000003
【図２】
2008242219.tif 000004
【図３】
2008242219.tif 000005
【図４】
2008242219.tif 000006
【図５】
2008242219.tif 000007
【図６】
2008242219.tif 000008
【図７】
2008242219.tif 000009
【図８】
2008242219.tif 000010
【図９】
2008242219.tif 000011
【図１０】
2008242219.tif 000012
【図１１】
2008242219.tif 000013
【図１２】
2008242219.tif 000014
【図１３】
2008242219.tif 000015